(57)【要約】【課題】  選択中のソース源の異常が検出された場合でも、各ソース源の選択履歴に基づいてユーザーの操作を介さずに連続的に他のソース源の制御に切り替えることのできる電子機器を提供すること。【解決手段】  音響信号及び／又は映像信号を出力する複数のソース源１２〜１６の状態を監視する監視手段１１ａを備えた電子機器１０において、これらソース源１２〜１６の選択履歴を記憶するメモリ１１ｂと、監視手段１１ａにより選択中のソース源の異常が検出された場合、メモリ１１ｂに記憶された選択履歴に基づいて他のソース源の制御に切り替える第１の制御切替手段１１ｃとを装備する。【選択図】  図１
2005236730.tif 000002
【特許請求の範囲】
【請求項１】
音響信号及び／又は映像信号を出力する複数のソース源の状態を監視する監視手段を備
えた電子機器において、
これらソース源の選択履歴を記憶する記憶手段と、
前記監視手段により選択中のソース源の異常が検出された場合、前記記憶手段に記憶さ
れた選択履歴に基づいて他のソース源の制御に切り替える第１の制御切替手段とを備えて
いることを特徴とする電子機器。
【請求項２】
前記第１の制御切替手段が、前記異常が検出されたソース源の直前に選択されていたソ
ース源の制御に切り替えるものであることを特徴とする請求項１記載の電子機器。
【請求項３】
前記第１の制御切替手段が、前記選択履歴の新しい方から異常のないソース源の制御に
切り替えるものであることを特徴とする請求項１記載の電子機器。
【請求項４】
前記第１の制御切替手段による異常検出時におけるソース源の自動切替を行うか否かを
設定するための第１の設定手段を備えていることを特徴とする請求項１〜３のいずれかの
項に記載の電子機器。
【請求項５】
前記監視手段により前記異常が検出されたソース源の異常解消が検出された場合、該異
常が解消されたソース源の制御に切り替える第２の制御切替手段を備えていることを特徴
とする請求項１〜４のいずれかの項に記載の電子機器。
【請求項６】
前記第２の制御切替手段による異常解消時におけるソース源の自動切替を行うか否かを
設定するための第２の設定手段を備えていることを特徴とする請求項５記載の電子機器。
【請求項７】
前記監視手段により前記異常が検出されたソース源の異常解消が検出された場合に、異
常が解消されたことを報知する報知手段を備えていることを特徴とする請求項５又は請求
項６記載の電子機器。
【請求項８】
所定の状態で、前記監視手段により前記異常が検出されたソース源の異常解消が検出さ
れた場合に、該異常が解消されたソース源に関する情報を所定の送信先へ送信する送信手
段を備えていることを特徴とする請求項１〜７のいずれかの項に記載の電子機器。
【発明の詳細な説明】
【技術分野】
【０００１】
本発明は電子機器に関し、より詳細には、車載用等の音響・映像機器のように、各種記
録媒体の再生部やラジオ受信部などの複数のソース源の状態を監視することのできる電子
機器に関する。
【背景技術】
【０００２】
近年の車載用等の音響・映像機器には、例えば、ＣＤ、ＭＤ、ＤＶＤ、カセットテープ
などの記録媒体の再生デッキ、ＴＶチューナ、及びＦＭ・ＡＭラジオ受信部などの複数の
ソース源が一体化されたシステムで構成されているものがある。
【０００３】
このような音響・映像機器では、これらソース源の状態が監視されるようになっている
。例えば、再生デッキの駆動中に何らかの異常が検出された場合には、異常発生メッセー
ジが表示部に表示されたり、又は音声で案内されるとともに、機器の動作が停止されるよ
うになっており、異常発生後は、操作ボタン等を介してユーザーによる有効な操作が行わ
れた場合にのみ機器の動作が行えるようになっていた。
【０００４】
したがって、異常発生時に、他に動作が有効なソース源があったとしても、機器の動作
が停止、すなわち電源がオフ状態となるので、ユーザーは、動作が有効なソース源への切
り替え操作を行わなければならず、操作が煩わしいという課題があった。              
【０００５】
このような課題を解決するものとして、下記の特許文献１には、ＣＤオートチェンジャ
ーの記録媒体エラーを検知した場合には、当該ＣＤから次のＣＤに変更する一方、記録媒
体エラーでないエラーを検知した場合には、当該エラーの発生したＣＤオートチェンジャ
ーから次のＣＤオートチェンジャーに変更する記録媒体演奏装置が開示されている。
【０００６】
しかしながら、特許文献１記載の装置では、エラー発生時に次のＣＤや次のＣＤオート
チェンジャーが順に変更されるようになっており、ＣＤオートチェンジャーなどの駆動手
段の選択履歴が、エラー発生時の動作に反映されるものではなかった。
【０００７】
また、従来の音響・映像機器では、異常が発生したソース源の異常が解消された時でも
ユーザーに対して異常が解消されたことを報知するようにはなっておらず、ユーザーが何
かの拍子に操作して初めて異常が解消されていたことが確認できるようになっているため
、異常が解消されていても、ユーザーはなかなか気付くことができず、不便であるという
課題があった。
【特許文献１】特開平６−１８０９３４号公報
【発明の開示】
【課題を解決するための手段及びその効果】
【０００８】
本発明は上記課題に鑑みなされたものであって、選択中のソース源に異常が検出された
場合でも、ソース源の過去の選択履歴に基づいてユーザーの操作を介さずに連続的に他の
ソース源の制御に切り替えることができ、また、異常が発生した前記ソース源の異常解消
が検出された場合には、該異常が解消されたソース源の制御に速やかに切り替えることの
できる電子機器を提供することを目的としている。
【０００９】
上記目的を達成するために本発明に係る電子機器（１）は、音響信号及び／又は映像信
号を出力する複数のソース源の状態を監視する監視手段を備えた電子機器において、これ
らソース源の選択履歴を記憶する記憶手段と、前記監視手段により選択中のソース源の異
常が検出された場合、前記記憶手段に記憶された選択履歴に基づいて他のソース源の制御
に切り替える第１の制御切替手段とを備えていることを特徴としている。
【００１０】
上記電子機器（１）によれば、選択されたソース源の異常が検出された場合、前記記憶
手段に記憶された選択履歴に基づいて他のソース源の制御に切り替えられるので、異常検
出時にユーザーによる操作を介すことなく、ユーザーの選択嗜好が考慮された他のソース
源の制御に切り替えることができ、該他のソース源から出力される音楽や映像を連続的に
楽しむことができ、使い勝手を向上させることができる。
【００１１】
また本発明に係る電子機器（２）は、上記電子機器（１）において、前記第１の制御切
替手段が、前記異常が検出されたソース源の直前に選択されていたソース源の制御に切り
替えるものであることを特徴としている。
【００１２】
上記電子機器（２）によれば、前記異常が検出されたソース源の直前に選択されていた
ソース源の制御に切り替えられるので、異常発生時にユーザーによる操作を介することな
く、異常発生前に選択されていたソース源から出力される音楽や映像を楽しむことができ
る。
【００１３】
また本発明に係る電子機器（３）は、上記電子機器（１）において、前記第１の制御切
替手段が、前記選択履歴の新しい方から異常のないソース源の制御に切り替えるものであ
ることを特徴としている。
【００１４】
上記電子機器（３）によれば、前記選択履歴の新しい方から異常のないソース源の制御
に切り替えられるので、検出された異常がいくつかのソース源に関係するものであっても
、前記選択履歴を遡って異常のないソース源の制御に切り替えることができる。
【００１５】
また本発明に係る電子機器（４）は、上記電子機器（１）〜（３）のいずれかにおいて
、前記第１の制御切替手段による異常検出時におけるソース源の自動切替を行うか否かを
設定するための第１の設定手段を備えていることを特徴としている。
【００１６】
上記電子機器（４）によれば、前記第１の設定手段を通じて、前記第１の制御切替手段
による異常検出時におけるソース源の自動切替を行うか否かをユーザーが設定することが
でき、ユーザーの好みに応じた設定を行うことができる。
【００１７】
また本発明に係る電子機器（５）は、上記電子機器（１）〜（４）のいずれかにおいて
、前記監視手段により前記異常が検出されたソース源の異常解消が検出された場合、該異
常が解消されたソース源の制御に切り替える第２の制御切替手段を備えていることを特徴
としている。
【００１８】
上記電子機器（５）によれば、前記監視手段により前記異常が検出されたソース源の異
常解消が検出された場合、該異常が解消されたソース源の制御に切り替えられるので、ユ
ーザーは、異常解消後、速やかに異常発生時に選択していたソース源から出力される音楽
や映像を楽しむことができ、ユーザーの嗜好に素早く対応した切替制御を行うことができ
る。
【００１９】
また本発明に係る電子機器（６）は、上記電子機器（５）において、前記第２の制御切
替手段による異常解消時におけるソース源の自動切替を行うか否かを設定するための第２
の設定手段を備えていることを特徴としている。
【００２０】
上記電子機器（６）によれば、前記第２の制御切替手段による異常解消時におけるソー
ス源の自動切替を行うか否かをユーザーが設定できるので、ユーザーの好みに応じた設定
を行うことができる。
【００２１】
また本発明に係る電子機器（７）は、上記電子機器（５）又は（６）において、前記監
視手段により前記異常が検出されたソース源の異常解消が検出された場合に、異常が解消
されたことを報知する報知手段を備えていることを特徴としている。
【００２２】
上記電子機器（７）によれば、前記監視手段により前記異常が検出されたソース源の異
常解消が検出された場合に、異常が解消されたことが報知されるので、ユーザーは、異常
が解消されたことを速やかに把握することができる。                                
【００２３】
また本発明に係る電子機器（８）は、上記電子機器（１）〜（７）のいずれかにおいて
、所定の状態で、前記監視手段により前記異常が検出されたソース源の異常解消が検出さ
れた場合に、該異常が解消されたソース源に関する情報を所定の送信先へ送信する送信手
段を備えていることを特徴としている。
【００２４】
上記電子機器（８）によれば、所定の状態、例えば、機器の電源がオフされた状態で、
前記監視手段により前記異常が検出されたソース源の異常解消が検出された場合に、該異
常が解消されたソース源に関する情報が所定の送信先へ送信されるので、ユーザーは、送
信された情報を確認することにより、その場から離れていたとしても異常解消を知ること
ができる。
【発明を実施するための最良の形態】
【００２５】
以下、本発明に係る電子機器の実施の形態を図面に基づいて説明する。図１は、実施の
形態に係る車載用音響・映像機器（本発明に係る電子機器に対応）の要部を概略的に示し
たブロック図である。
【００２６】
図中１０は、車載用音響・映像機器を示しており、車載用音響・映像機器１０は、マイ
コン１１と、ＦＭ／ＡＭチューナ部１２、ＴＶチューナ部１３、ＣＤデッキ１４、ＭＤデ
ッキ１５、及びＤＶＤデッキ１６の各ソース源と、表示部１７と、音声出力部１８と、操
作部１９と、通信モジュール２０とを含んで構成されている。
【００２７】
マイコン１１は、車載用音響・映像機器１０の各部を制御するとともに、各ソース源の
状態を監視する監視手段１１ａと、各ソース源の選択履歴が記憶されるメモリ１１ｂと、
監視手段１１ａによりこれらソース源のいずれかの選択中に異常が検出された場合、メモ
リ１１ｂに記憶された選択履歴に基づいて他のソース源の制御に切り替える第１の制御切
替手段１１ｃと、監視手段１１ａにより異常が検出されたソース源の異常解消が検出され
た場合、該異常が解消されたソース源の制御に切り替える第２の制御切替手段１１ｄとを
含んで構成されている。なお、車載用音響・映像機器１０のメイン電源がＯＦＦされてい
る場合でも、図示されていないバックアップ電源によりマイコン１１が動作するように構
成されている。
【００２８】
ＦＭ／ＡＭチューナ部１２は、マイコン１１からの制御信号に基づいて、アンテナ１２
ａを介して受信したＦＭ又はＡＭ電波から目的とする周波数の放送波をチューニングして
増幅し、チューニングされた受信波を復調して、音声信号として出力するものであり、フ
ロントエンド、中間周波増幅回路、検波回路、復調回路等（いずれも図示せず）を含んで
構成されている。
【００２９】
ＴＶチューナ部１３は、マイコン１１からの制御信号に基づいて、アンテナ１３ａを介
して受信したＴＶ電波から目的とする周波数の放送波をチューニングして増幅し、チュー
ニングされた受信波を復調して、音声・映像信号として出力するものであり、高周波増幅
回路、中間周波増幅回路、検波回路、復調回路等（いずれも図示せず）を含んで構成され
ている。
【００３０】
ＣＤデッキ１４、ＭＤデッキ１５は、それぞれマイコン１１からの制御信号に基づいて
、挿入されたＣＤやＭＤの信号を読み取り、音声信号として出力するものであり、それぞ
れ読取部、駆動部、ディジタル信号処理部等（いずれも図示せず）を含んで構成されてい
る。
【００３１】
ＤＶＤデッキ１６は、マイコン１１からの制御信号に基づいて、挿入されたＤＶＤの信
号を読み取り、音声・映像信号として出力するものであり、読取部、駆動部、ディジタル
信号処理部等（いずれも図示せず）を含んで構成されている。
【００３２】
表示部１７は、マイコン１１からの制御信号に基づいて、ＦＭ／ＡＭチューナ部１２、
ＴＶチューナ部１３、ＤＶＤデッキ１６などから出力された映像信号、テキスト信号を映
し出すものであり、液晶ディスプレイ（図示せず）等を含んで構成されている。音声出力
部１８は、各ソース源から出力された音声信号を出力するものであり、アンプ、スピーカ
等（いずれも図示せず）を含んで構成されている。
【００３３】
操作部１９は、表示部１７に設けられたボタンスイッチやタッチパネル、あるいはリモ
コン等（いずれも図示せず）を含んで構成されており、ボタンスイッチ、タッチパネル、
又はリモコンからの入力信号を取り込んで、該入力信号に応じた処理がマイコン１１で行
われるようになっており、ユーザーは、ボタンスイッチ、タッチパネル、又はリモコンを
操作することにより車載用音響・映像機器１０に所望の動作（例えば、各ソース源の選択
切替動作など）を行わせることが可能になっている。
【００３４】
通信モジュール２０は、マイコン１１からの制御信号に基づいて、インターネットなど
の通信網に接続して、電子メール等の送受信を行う機能を備えており、予め登録されたメ
ールアドレスに車載用音響・映像機器１０の監視情報を送ることができるようになってい
る。
【００３５】
また、車載用音響・映像機器１０では、表示部１７の画面を通じて、各種の設定が行え
るようになっており、設定された情報は、メモリ１１ｂに記憶されるようになっている。
例えば、図２に示した「初期設定メニュー」画面を通じて、第１の制御切替手段１１ｃに
よる異常検出時におけるソース源の自動切替を行うか否かを設定するための「異常発生時
自動切替モード」、第２の制御切替手段１１ｄによる異常解消時におけるソース源の自動
切替を行うか否かを設定するための「異常解消時自動切替モード」の設定を行うことがで
きるようになっている。                                                          
【００３６】
次に実施の形態に係る車載用音響・映像機器１０の動作を図３に示したタイミングチャ
ートに基づいて説明する。なお、ここでは、上記初期設定メニュー画面を通じて、「異常
時自動切替モード」と「異常解消時自動切替モード」とがＯＮ設定されているものとして
説明する。
【００３７】
図３（ａ）の時刻ｔ１（現在時点）では、ソース源にＣＤデッキ１４が選択されており
、音声出力部１８からＣＤの音声が出力されている。なお、ＣＤデッキ１４が選択される
前に、ＭＤデッキ１５、ＦＭ／ＡＭチューナ部１２、…が選択されており、これらの選択
履歴情報がメモリ１１ｂに記憶されるようになっている。
【００３８】
時刻ｔ２において、ＣＤデッキ１４に何らかの異常（例えば、メカエラー、温度異常、
過電流など）が発生したことが検出されると、マイコン１１（第１の制御切替手段１１ｃ
）は、メモリ１１ｂに記憶された選択履歴情報を読み出し、現在選択されているＣＤデッ
キ１４の直前に選択されていたＭＤデッキ１５の制御に切り替える。したがって、ＣＤデ
ッキ１４に異常が発生した場合でも、選択履歴に基づいて異常発生の直前に選択されてい
たＭＤデッキ１５の再生が、ユーザーの操作を介さずに行われるようになっている。
【００３９】
そして、時刻ｔ３において、ＣＤデッキ１４に発生していた異常が解消したこと（例え
ば、温度や電流値が正常範囲になったことなど）が検出されると、マイコン１１（第２の
制御切替手段１１ｄ）は、ＭＤデッキ１５からＣＤデッキ１４へ制御を切り替える。した
がって、異常発生時に選択されていたＣＤデッキ１４の制御に切り替えられるので、ユー
ザーは、もともと聞きたかったＣＤを異常解消と同時に楽しめるようになっている。    
【００４０】
また、時刻ｔ２において、ＭＤデッキ１５にも何らかの異常が発生したり、再生できな
いことが検出されると、図３（ｂ）に示すように、マイコン１１（第１の制御切替手段１
１ｃ）は、選択履歴に基づいて、ＭＤデッキ１５の前に選択されていて、異常のないソー
ス源、この場合ＦＭ／ＡＭチューナ部１２の制御に切り替えるようになっている。したが
って、複数のソース源に異常が発生した場合でも、選択履歴を遡って異常のないソース源
の制御に切り替えられるようになっている。
【００４１】
次に実施の形態に係る車載用音響・映像機器におけるマイコン１１の行う処理動作を図
４に示したフローチャートに基づいて説明する。
まず、ステップＳ１では、現在選択中のソース源（ソースＡとする）の異常が検出され
たか否かを判断し、異常が検出されていないと判断すればステップＳ１に戻る一方、異常
が検出されたと判断すればステップＳ２に進む。ステップＳ２では、異常が検出されたこ
とをユーザーに知らせるための異常メッセージを表示部１７に表示する処理を行い、その
後ステップＳ３に進む。
【００４２】
ステップＳ３では、異常発生時自動切替モードがＯＮか否かを判断し、異常発生時自動
切替モードがＯＮであると判断すればステップＳ４に進む。ステップＳ４では、メモリ１
１ｂに記憶された選択履歴に基づいて他のソース源の制御に切り替える処理（異常時制御
切替処理）、すなわち、メモリ１１ｂから選択履歴情報を読み出し、ソースＡを選択する
前に選択されていたソース源（ソースＢとする）に制御を切り替える処理を行い、その後
ステップＳ５に進む。
【００４３】
ステップＳ５では、切り替えられたソースＢの動作が可能が否かを判断し、動作可能で
はない判断すれば（例えば、ソースＢがＭＤデッキ１５であり、ＭＤデッキ１５に切り替
えられたが、ＭＤが抜かれていて再生できない場合や、ＭＤデッキ１５にも異常が発生し
ているなど）、ステップＳ４に戻り、前記選択履歴から、さらにソースＢより前に選択さ
れていた異常のないソース源（ソースＣとする）に制御を切り替える処理を行う。一方、
ステップＳ５において、ソースＢの動作が可能であると判断すればステップＳ６に進む。
ステップＳ６では、ソースＡに異常があるまま、切り替えられたソース源（ソースＢ、Ｃ
など）の制御（通常動作）を行い、ステップＳ１０に進む。
【００４４】
一方ステップＳ３において、異常時自動切替モードがＯＮではない、すなわちＯＦＦで
あると判断すればステップＳ７に進み、ステップＳ７では、動作停止、すなわちメイン電
源をＯＦＦにしてステップＳ８に進む。ステップＳ８では、ユーザーによる有効操作があ
ったか否かを判断し、有効操作がなかったと判断すれば、ステップＳ８に戻る一方、有効
操作があったと判断すればステップＳ９に進む。ステップＳ９では、ソースＡに異常があ
るまま、有効操作により切り替えられたソース源の制御（有効操作による通常動作）を行
い、ステップＳ１０に進む。
【００４５】
ステップＳ１０では、ソースＡの異常が解消されたか否かを判断し、異常が解消されて
いないと判断すればステップＳ１０に戻る一方、異常が解消されたと判断すればステップ
Ｓ１１に進む。ステップＳ１１では、メイン電源がＯＦＦされているか否かを判断し、メ
イン電源がＯＦＦされていないと判断すればステップＳ１２に進む。
【００４６】
ステップＳ１２では、ソースＡの異常が解消したことを示す異常解消メッセージを表示
部１７に表示する処理を行い、その後ステップＳ１３に進む。ステップＳ１３では、異常
解消時自動切替モードがＯＮか否かを判断し、異常解消時自動切替モードがＯＮであると
判断すればステップＳ１４に進み、ステップＳ１４では、異常が解消されたソースＡへの
制御切り替えを行う一方、異常解消時自動切替モードがＯＮではない、すなわちＯＦＦで
あると判断すればステップＳ１５に進む。ステップＳ１５では、現在選択中のソースの制
御を継続し、その後処理を終了する。
【００４７】
一方ステップＳ１１において、メイン電源がＯＦＦされていると判断すればステップＳ
１６に進み、ステップＳ１６では、通信モジュール２０を介して予め登録されたメールア
ドレスに異常解消メッセージを送信する処理を行い、その後処理を終了する。
【００４８】
上記実施の形態に係る車載用音響・映像機器１０によれば、選択されたソース源の異常
が検出された場合、メモリ１１ｂに記憶された選択履歴に基づいて他のソース源の制御に
切り替えられるので、異常検出時にユーザーによる操作を介することなく、ユーザーの嗜
好が考慮された他のソース源、すなわち、異常が検出されたソース源の直前に選択されて
いたソース源や、選択履歴の新しい方から異常のないソース源の制御に切り替えることが
でき、連続的に音楽や映像を楽しむことができ、使い勝手を向上させることができる。ま
た、検出された異常がいくつかのソース源に関係するものであっても、選択履歴を遡って
異常のないソース源の制御に切り替えることができる。
【００４９】
また、監視手段１１ａにより異常が検出されたソース源の異常解消が検出された場合、
該異常が解消されたソース源の制御に切り替えられるので、ユーザーは、異常解消後、速
やかに異常発生時に選択していたソース源から出力される音楽や映像を楽しむことができ
、ユーザーの選択嗜好に素早く対応した切替制御を行うことができる。
【００５０】
また、監視手段１１ａにより異常が検出されたソース源の異常解消が検出された場合に
、異常が解消されたことが報知されるので、ユーザーは、異常が解消されたことを速やか
に把握することができる。                                                        
【００５１】
また、機器のメイン電源がＯＦＦされた状態で、監視手段１１ａにより異常が検出され
たソース源の異常解消が検出された場合には、該異常が解消されたソース源に関する情報
が所定の送信先へ送信されるので、ユーザーは、送信された情報を確認するにより、その
場から離れていたとしても異常解消を知ることができる。
【００５２】
また、初期設定メニュー画面を通じて、第１の制御切替手段１１ｃによる異常検出時に
おけるソース源の自動切替を行うか否かをユーザーが設定することができ、また第２の制
御切替手段１１ｄによる異常解消時におけるソース源の自動切替を行うか否かもユーザー
が設定することができ、ユーザーの好みに応じた設定を行うことができる。
【００５３】
なお、上記実施の形態では、第１の制御切替手段１１ｃにより、異常が検出されたソー
スＡの直前に選択されていたソースＢの制御に切り替えたり、選択履歴の新しい方から異
常のないソース源の制御に切り替えられるようになっているが、別の実施の形態では、メ
モリ１１ｂに記憶された選択履歴の情報に基づいて、選択回数の多いソース源の制御に切
り替えるようにしてもよい。
【００５４】
また上記実施の形態では車載用音響・映像機器１０に適用した場合について説明したが
、別の実施の形態では、複数のソース源を備える家庭用の音響・映像機器などの電子機器
にも適用することができる。
【図面の簡単な説明】
【００５５】
【図１】本発明の実施の形態に係る車載用音響・映像機器の要部を概略的に示したブロック図である。
【図２】表示部に表示される初期設定メニュー画面の表示例を示す図である。
【図３】実施の形態に係る車載用音響・映像機器の動作を説明するためのタイミングチャートである。
【図４】実施の形態に係る車載用音響・映像機器におけるマイコンの行う処理動作を示したフローチャートである。
【符号の説明】
【００５６】
１０  車載用音響・映像機器
１１  マイコン
１１ａ  監視手段
１１ｂ  メモリ
１１ｃ  第１の制御切替手段
１１ｄ  第２の制御切替手段
【図１】
2005236730.tif 000003
【図２】
2005236730.tif 000004
【図３】
2005236730.tif 000005
【図４】
2005236730.tif 000006